(57)【要約】【課題】軸部に一体に成形された螺旋状羽根を有する樹脂製の現像剤撹拌・搬送スクリュー、及び中心軸部のない螺旋状羽根を有する現像剤撹拌・搬送スクリューの、金型成形する際のアンダーカットを防止する為の肉付けを最小化した、低コストの撹拌・搬送スクリュー及びその金型設計方法を提供する。【解決手段】軸部と、軸部の軸線方向の断面形状が台形形状である螺旋状羽根を有する現像剤撹拌・搬送スクリューであって、螺旋状羽根側面と軸部との間に、又は軸部を有しない螺旋状羽根底面に、２方分割の金型でありながらアンダーカットを発生させないための複数の肉付けが形成されている現像剤撹拌・搬送スクリュー。【選択図】図５
2012234048.tif 000002
【特許請求の範囲】
【請求項１】
軸部と、前記軸部の軸線方向の断面形状が台形形状である螺旋状羽根が一体に成形された現像剤撹拌・搬送スクリューであって、前記螺旋状羽根が前記軸部を一周する区間において、前記螺旋状羽根側面と前記軸部との間に、前記軸部と、前記螺旋状羽根側面と、軸線方向と直交する方向から前記螺旋状羽根側面に仮想した金型分割上アンダーカットとなる前記螺旋状羽根側面の外縁である等傾曲線と、前記等傾曲線を前記軸部に投影して仮想した第１投影曲線と、前記軸部の軸線方向に仮想した金型分割線である軸径線と前記第１投影曲線との交点から前記軸部の軸心方向と直交する方向に仮想した鉛直線と、前記軸径線を前記螺旋状羽根側面に軸線方向と直交する方向に投影して仮想した第２投影曲線と、前記軸径線と、によって形成された空間を、前記軸部及び前記螺旋状羽根と一体に成形した複数の肉付けが形成されていることを特徴とする現像剤撹拌・搬送スクリュー。
【請求項２】
前記肉付けを形成する空間を求める金型設計方法であって、撹拌・搬送スクリューの３次元形状データを読み込み３次元形状サーフェースを作成する３次元サーフェース作成ステップと、前記螺旋状羽根の３次元サーフェースに前記等傾曲線を作成する等傾曲線作成ステップと、前記等傾曲線を前記軸部の３次元サーフェースに投影する第１投影曲線作成ステップと、前記軸部の３次元サーフェースの軸線方向に形成される金型分割線と前記第１投影曲線との交点から前記金型分割面と直交する方向に鉛直線を作成する鉛直線作成ステップと、前記等傾曲線と前記第１投影曲線と前記鉛直線とによって閉曲線を作成する第１閉曲線作成ステップと、前記金型分割線を前記螺旋状羽根の３次元サーフェースに前記金型分割面と直交する方向に投影する第２投影曲線作成ステップと、前記金型分割線と前記鉛直線と前記第２投影曲線とによって閉曲線を作成する第２閉曲線作成ステップと、前記第１閉曲線と前記第２閉曲線と前記螺旋状羽根の３次元サーフェースと前記軸部の３次元サーフェースとによって３次元空間を作成するステップと、を順次実行することを特徴とする金型設計方法。
【請求項３】
中心軸部のない断面形状が台形形状である螺旋状羽根と、前記螺旋状羽根の両端外側に一体に成形された軸部とを有する現像剤撹拌・搬送スクリューであって、前記螺旋状羽根底面に、複数の肉付けが形成されていることを特徴とする現像剤撹拌・搬送スクリュー。
【請求項４】
前記肉付けは、前記螺旋状羽根底面の曲率に等しい曲率を有する円筒を軸線方向に仮想した軸径線と、前記螺旋状羽根側面と前記螺旋状羽根底面の境界線と、軸線方向と直交する方向から前記螺旋状羽根側面に仮想した金型分割上アンダーカットとなる他方の前記螺旋状羽根側面と前記螺旋状羽根底面の境界線と、によって形成される閉曲線を、軸線方向と直交する方向に平行掃引し、前記螺旋状羽根底面に形成された空間を前記螺旋状羽根と一体に成形したことを特徴とする請求項４記載の現像剤撹拌・搬送スクリュー。
【請求項５】
前記肉付けを形成する空間を求める金型設計方法であって、撹拌・搬送スクリューの３次元形状データを読み込み３次元形状サーフェースを作成する３次元形状サーフェース作成ステップと、前記軸径線を作成する軸径線作成ステップと、前記境界線を作成する境界線作成ステップと、前記軸径線と前記境界線とによって閉曲線を作成する閉曲線作成ステップと、前記閉曲線を金型分割方向に平行掃引する平行掃引ステップと、前記閉曲線を軸線方向と直交する方向に平行掃引して形成された空間の、前記螺旋状羽根側面に形成された空間を削除し、金型分割上アンダーカットとなる螺旋状羽根底面にのみ３次元空間を残す削除ステップと、を順次実行することを特徴とする金型設計方法。
【発明の詳細な説明】
【技術分野】
【０００１】
本発明は、現像剤を撹拌・搬送するスクリュー及びその金型設計方法に関する。
【背景技術】
【０００２】
従来より、電子写真方式によって記録媒体に画像を記録する装置として、複写機、プリンタ、ファクシミリ、多機能複合機等の画像形成装置が知られている。
【０００３】
このような電子写真方式の画像形成装置では、まず、像担持体としての感光ドラムの表面を帯電ローラで帯電させ、次いで、露光装置からのレーザービームやＬＥＤ光によって感光ドラム表面を露光して静電潜像を形成する。その静電潜像に現像装置から現像剤であるトナーを供給して、トナー画像を形成する。その後、感光ドラム上のトナー画像は、記録媒体に転写され、トナー画像が転写された記録媒体が定着装置を通過することにより、記録媒体上に定着された画像を得る。一方、記録媒体に転写された後、感光ドラム上に残った残留トナーは、クリーニングブレード等により除去され、感光ドラムは、再度、帯電ローラで帯電される。
【０００４】
現像装置としては、現像剤としてトナーと磁性キャリアとを含む、いわゆる二成分現像剤を使用するものが広く普及している。この種の画像形成装置では、二成分現像剤を収容した現像装置を像担持体に対向配置し、像担持体の表面にトナーを転移させて静電潜像を可視像化するようになっている。
【０００５】
この現像装置は、像担持体である感光体ドラムに現像剤を供給して感光体ドラム上の静電潜像を現像する現像ローラと、トナーと磁性キャリアを撹拌・搬送しながら、現像剤を現像ローラに供給する一対の撹拌・搬送スクリューとを備える。
【０００６】
従来の現像剤撹拌・搬送スクリューは、金属製の細長い円柱状の軸部に、均一な厚みと幅を有する金属製の帯状平板を螺旋状に接合して螺旋状羽根を形成していたが、金属製の撹拌・搬送スクリューは、螺旋状羽根の成型、溶接等に手間がかかり、高コストであった。更に、画像形成装置の小型化、低コスト要請により、現像剤撹拌・搬送スクリューの体積を小さくして小型化された現像装置において、一定の現像剤の貯留を可能とする要請も強い。
【０００７】
そのために、金属製の現像剤撹拌・搬送スクリューに代わり、製造が容易で低コスト化が可能という理由から、金型によって、軸部とこの軸部に一体に成形された螺旋状羽根とを有する樹脂製の現像剤撹拌・搬送スクリューが開示されている（特許文献１参照）。
【０００８】
一方、撹拌・搬送スクリューのような長手部材を金型を使って成形する場合には、金型の合せ面を軸心方向と平行にした金型とするのが通常であり、金型の抜き方向は軸心方向と直行する。ところが、撹拌・搬送スクリュー部材の場合、螺旋状羽根の断面形状を螺旋状羽根の全長に渡り一様にしようとしても、金型の合せ面近傍の螺旋状羽根部分にアンダーカット部が形成され、金型から成形品である撹拌・搬送スクリューを取り出せなくなるという問題が発生する場合がある。
【０００９】
かかる問題点に鑑みて、樹脂製の撹拌・搬送スクリューを射出成形で製造する方法として、撹拌・搬送スクリュー用金型を、成形体の軸心方向に沿って４つ以上に分割された金型部材から構成し、抜き勾配を大きくすること無く、アンダーカットを防止できる金型構成が開示されている（特許文献２参照）。
【先行技術文献】
【特許文献】
【００１０】
【特許文献１】特開２００２−６５９７（４頁  図１）
【特許文献２】特開平８−１１１６９（７頁  図１、８頁  図２）
【発明の概要】
【発明が解決しようとする課題】
【００１１】
このように、従来技術によって金型成形加工された撹拌・搬送スクリューにおいては、アンダーカットが発生しないように、螺旋状羽根の断面形状を螺旋状羽根が軸部を一周する間に徐々に変化させ、螺旋状羽根の底部の幅が他の部分よりも膨らんだ部分を複数形成していたが、螺旋状羽根の断面形状が略一周にわたり不均一になり、現像剤の撹拌・搬送作用において、所望の性能を発揮することができないという問題が発生する。
【００１２】
さらに、アンダーカットを発生させ難くするための螺旋状羽根の底部の肉付け部を少なくして、撹拌・搬送スクリューの撹拌・搬送作用において、所望の性能を確保すべく、金型の分割数を多くしたり、スライドコア方式の金型で成形する場合は、金型が複雑で高価なものとなるという問題も発生する。
【００１３】
本発明は、上記事実に鑑みてなされたものであり、軸部と、軸部に一体に成形された螺旋状羽根とを有する樹脂製の現像剤撹拌・搬送スクリュー、及び中心軸部のない螺旋状羽根と、螺旋状羽根の両端外側に一体に成形された軸部とを有する現像剤撹拌・搬送スクリューの、金型成形加工する際のアンダーカットを発生させない為の肉付けを最小化した、低コストの撹拌・搬送スクリュー及びその金型設計方法を提供することを目的とする。
【課題を解決するための手段】
【００１４】
前記課題を解決するために、請求項１記載の現像剤撹拌・搬送用スクリューは、軸部と、前記軸部の軸線方向の断面形状が台形形状である螺旋状羽根が一体に成形された現像剤撹拌・搬送スクリューであって、前記螺旋状羽根が前記軸部を一周する区間において、前記螺旋状羽根側面と前記軸部との間に、前記軸部と、前記螺旋状羽根側面と、軸線方向と直交する方向から前記螺旋状羽根側面に仮想した金型分割上アンダーカットとなる前記螺旋状羽根側面の外縁である等傾曲線と、前記等傾曲線を前記軸部に投影して仮想した第１投影曲線と、前記軸部の軸線方向に仮想した金型分割線である軸径線と前記第１投影曲線との交点から前記軸部の軸心方向と直交する方向に仮想した鉛直線と、前記軸径線を前記螺旋状羽根側面に軸線方向と直交する方向に投影して仮想した第２投影曲線と、前記軸径線と、によって形成された空間を、前記軸部及び前記螺旋状羽根と一体に成形した複数の肉付けが形成されていることを特徴とする。
【００１５】
請求項２記載の金型設計方法は、前記肉付けを形成する空間を求める金型設計方法であって、撹拌・搬送スクリューの３次元形状データを読み込み３次元形状サーフェースを作成する３次元形状サーフェース作成ステップと、前記螺旋状羽根の３次元サーフェースに前記等傾曲線を作成する等傾曲線作成ステップと、前記等傾曲線を前記軸部の３次元サーフェースに投影する第１投影曲線作成ステップと、前記軸部の３次元サーフェースの軸線方向に形成される金型分割線と前記第１投影曲線との交点から前記金型分割面と直交する方向に鉛直線を作成する鉛直線作成ステップと、前記等傾曲線と前記第１投影曲線と前記鉛直線とによって閉曲線を作成する第１閉曲線作成ステップと、前記金型分割線を前記螺旋状羽根の３次元サーフェースに前記金型分割面と直交する方向に投影する第２投影曲線作成ステップと、前記金型分割線と前記鉛直線と前記第２投影曲線とによって閉曲線を作成する第２閉曲線作成ステップと、前記第１閉曲線と前記第２閉曲線と前記螺旋状羽根の３次元サーフェースと前記軸部の３次元サーフェースとによって３次元空間を作成するステップと、を順次実行することを特徴とする。
【００１６】
請求項３記載の現像剤撹拌・搬送用スクリューは、中心軸部のない断面形状が台形形状である螺旋状羽根と、前記螺旋状羽根の両端外側に一体に成形された軸部とを有する現像剤撹拌・搬送スクリューであって、前記螺旋状羽根底面に、複数の肉付けが形成されていることを特徴とする。
【００１７】
請求項４記載の現像剤撹拌・搬送用スクリューは、請求項３に記載の現像剤撹拌・搬送スクリューにおいて、前記肉付けは、前記螺旋状羽根底面の曲率に等しい曲率を有する円筒を軸線方向に仮想した軸径線と、前記螺旋状羽根側面と前記螺旋状羽根底面の境界線と、軸線方向と直交する方向から前記螺旋状羽根側面に仮想した金型分割上アンダーカットとなる他方の前記螺旋状羽根側面と前記螺旋状羽根底面の境界線と、によって形成される閉曲線を、軸線方向と直交する方向に平行掃引し、前記螺旋状羽根底面に形成された空間を前記螺旋状羽根と一体に成形したことを特徴とする。
【００１８】
請求項５記載の金型設計方法は、前記肉付けを形成する空間を求める金型設計方法であって、撹拌・搬送スクリューの３次元形状データを読み込み３次元形状サーフェースを作成する３次元形状サーフェース作成ステップと、前記軸径線を作成する軸径線作成ステップと、前記境界線を作成する境界線作成ステップと、前記軸径線と前記境界線とによって閉曲線を作成する閉曲線作成ステップと、前記閉曲線を金型分割方向に平行掃引する平行掃引ステップと、前記閉曲線を軸線方向と直交する方向に平行掃引して形成された空間の、前記螺旋状羽根側面に形成された空間を削除し、金型分割上アンダーカットとなる螺旋状羽根底面にのみ３次元空間を残す削除ステップと、を順次実行することを特徴とする。
【発明の効果】
【００１９】
本発明によれば、軸部とこの軸部に一体に成形された螺旋状羽根とを有する樹脂製の現像剤撹拌・搬送スクリュー、及び中心軸部のない螺旋状羽根と、螺旋状羽根の両端外側に一体に成形された軸部とを有する現像剤撹拌・搬送スクリューの、金型成形加工する際のアンダーカットを発生させない為の肉付けを最小化して、撹拌・搬送スクリューの撹拌・搬送作用において、所望の性能を確保できる、低コストの撹拌・搬送スクリュー及びその金型設計方法を得ることができる。
【図面の簡単な説明】
【００２０】
【図１】本発明に係る撹拌・搬送スクリューを適用した画像形成装置の概略構成図
【図２】画像形成部の内部構成図
【図３】現像装置の内部構成図
【図４】本発明に係る撹拌・搬送スクリューの部分拡大図及び断面図
【図５】本発明に係る撹拌・搬送スクリューの一部を示す斜視図
【図６】本発明に係る撹拌・搬送スクリューの等傾曲線を示す図
【図７】本発明に係る金型設計方法のフローチャート
【図８】本発明に係る金型設計方法による仮想線の作成過程図
【図９】本発明に係る金型設計方法による金型の要部を示す斜視図
【図１０】本発明による肉付けを適用した場合の肉付け部の体積増加量を示す図
【図１１】撹拌・搬送スクリューの撹拌・搬送作用を説明した図
【図１２】本発明による撹拌・搬送スクリューの他の実施の形態を示す図
【図１３】本発明に係る他の実施の形態の金型設計方法のフローチャート
【図１４】本発明に係る他の実施の形態の金型設計方法による仮想線の作成過程図
【図１５】本発明に係る他の実施の形態の金型設計方法による金型の要部を示す斜視図
【発明を実施するための形態】
【００２１】
次に図面を参照しながら、本発明の実施の形態の具体例としての実施例を説明するが、本発明は以下の実施例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００２２】
（１）画像形成装置の概略構成
図１は、本発明に係る一対の現像剤撹拌・搬送スクリューを備えた現像装置を複数搭載した画像形成装置の実施の一形態を示す概略構成図である。図１に示す画像形成装置２０は、４色のトナー（イエロー（Ｙ）、マゼンタ（Ｍ）、シアン（Ｃ）、ブラック（Ｋ））によるフルカラー画像形成を行う画像形成部２１Ｙ、２１Ｍ、２１Ｃ、２１Ｋが水平方向に配列されている。
【００２３】
各画像形成部２１Ｙ、２１Ｍ、２１Ｃ、２１Ｋは、互いに異なる色のトナーからなる現像剤を収容している以外は同様の構成となっている。そこで、一つの画像形成部２１Ｙを例にその構成を説明する。
【００２４】
図２に示すように、画像形成部２１Ｙは、静電潜像を担持する像担持体としての感光ドラム３０と、感光ドラム３０に接触して配設された感光ドラム３０の表面を帯電させる帯電ローラ４０と、帯電ローラ４０と当接して回転し、帯電ローラ４０の表面をクリーニングするクリーニングローラ１と、感光ドラム３０の表面の静電潜像に対して現像剤としてのトナーを供給して可視画像を形成する現像装置５０と、感光ドラム３０の表面に当接して配接され感光ドラム３０の表面に付着した残留トナーを除去するクリーニングブレード６０等によって構成されている。
【００２５】
各画像形成部２１Ｙ、２１Ｍ、２１Ｃ、２１Ｋの下方には、感光ドラム３０の表面を露光して静電潜像を形成する露光装置７０が配接されている。この露光装置７０は、画像データに基づいてレーザーダイオード或いはＬＥＤから感光ドラム３０の表面へレーザー光或いはＬＥＤ光を照射するように構成されている。
【００２６】
各画像形成部２１Ｙ、２１Ｍ、２１Ｃ、２１Ｋの上方には、一次転写ローラ２２Ｙ、２２Ｍ、２２Ｃ、２２Ｋが各画像形成部の感光ドラムに対向して中間転写ベルト８０を介して圧接している。また、二次転写ローラ２３は、対向する従動ローラに対して中間転写ベルト８０を介して圧接している。
【００２７】
画像形成装置２０の下部には、給紙部２５が配設され、給紙部２５は、記録媒体Ｐを収納する記録媒体収納カセット２６と、記録媒体収納カセット２６から記録媒体Ｐを送り出す送り出しローラ２７とが配設され、前記送り出しローラ２７から下流側には、記録媒体案内ガイドＳと、一対のレジストローラ２８ａ、２８ｂが配設されている。
【００２８】
二次転写ローラ２３の下流側には、記録媒体Ｐにトナー画像を定着させるための定着装置９０が配設されている。
【００２９】
（２）画像形成装置の動作
以下、上記画像形成装置の画像形成動作として、図２を参照しながら、一つの画像形成部２１Ｙを例にして説明する。画像形成部２１Ｙの感光ドラム３０を図示しない駆動装置で回転させ、回転する感光ドラム３０の表面を帯電ローラ４０によって均一な所望の電位に帯電させる。そして、図示しない画像コントローラからの画像データに基づいて露光装置７０から感光ドラム３０の表面へレーザーダイオード或いはＬＥＤからレーザー光或いはＬＥＤ光が照射され、照射された部分の感光ドラム３０の表面電位は低下し、静電潜像が形成される。次に、この感光ドラム３０の表面の静電潜像が形成された部分に、現像装置５０によって、帯電された現像剤としてのトナーを静電的に付着させ、感光ドラム３０上にイエローの画像が可視画像として形成される。
【００３０】
画像形成部２１Ｙの感光ドラム３０に対向する一次転写ローラ２２Ｙにトナーの帯電極性とは逆極性に制御された電圧を印加し、感光ドラム３０上のトナー画像を中間転写ベルト８０上に転写する。
【００３１】
その他の各画像形成部２１Ｍ、２１Ｃ、２１Ｋにおいても、同様に感光ドラム３０上にトナー画像を形成し、各々のトナー画像を中間転写ベルト８０上に一次転写して、記録媒体Ｐ上に二次転写されるべきトナー画像として一時的保持される。
【００３２】
一次転写後は、各感光ドラム３０の表面に残留する未転写のトナーはクリーニングブレード６０よって除去されるが、クリーニングブレード６０では完全に除去できない記録媒体の構成材料由来の紙紛や、トナーに含まれる外添剤としての微細なシリカ、酸化チタン、ワックス等の微粒子は、クリーニングブレード６０の感光ドラム３０との当接部をすり抜け、帯電ローラ４０の表面に付着するが、帯電ローラ４０に当接して回転するクリーニングローラ１の表面に捕捉され、蓄積される。
【００３３】
一方、画像形成装置の本体制御部からの信号によって、給紙部２５の、記録媒体Ｐを収納する記録媒体収納カセット２６から記録媒体Ｐを、送り出しローラ２７により送り出し、記録媒体案内ガイドＳに沿って、一対のレジストローラ２８ａ、２８ｂのニップ部まで記録媒体Ｐが搬送される。
【００３４】
次に、中間転写ベルト８０上に形成されたトナー画像は、二次転写ローラ２３にトナーの帯電極性とは逆極性に制御された電圧を印加し、一対のレジストローラ２８ａ、２８ｂから送り出された記録媒体Ｐ上に二次転写される。
【００３５】
トナー画像が転写された記録媒体Ｐは、定着装置９０へと搬送され、記録媒体Ｐ上の未定着トナー画像が加圧・加熱されて記録媒体Ｐに定着される。その後、記録媒体Ｐは定着装置９０から送り出され、排紙トレー上に収容される。
【００３６】
（３）現像装置の構成
次に、本発明の現像剤撹拌・搬送スクリューを適用した現像装置５０の構成について、図面を参照してさらに説明する。図２に示す現像装置５０は、いわゆる二成分現像方式を採用したものであって、現像剤収容部の開口に面した部位には、感光ドラム３０と略平行に対向配置され回転自在に形成された現像剤担持体としての現像ローラ５１、現像ローラ５１に担持する現像剤を一定の所望量に規制するトリミングバー５２が配置され、現像剤収容部には、回転軸の外周に螺旋状羽根を有する一対の撹拌・搬送スクリュー５３、５４が、仕切り壁を介して配置されている。
【００３７】
ここで、現像ローラ５１側の撹拌・搬送スクリュー５４は、現像剤に供給されたトナーの撹拌混合機能に加えて現像ローラ５１への現像剤供給機能を担っている。他方の撹拌・搬送スクリュー５３は既存の現像剤に補給されたトナーを撹拌混合することを主たる機能としている。
【００３８】
（４）現像装置の動作
現像ローラ５１は、その内部に図示しない磁界発生手段と、その外周部に非磁性材料からなる回転可能に形成されたスリーブとを有して現像剤の搬送担持を行うものであり、現像ローラ５１により搬送された現像剤は、トリミングバー５２により現像ローラ５１上に所定の厚みに規制された後、層厚みが規制された現像剤層から磁気ブラシを立てて、感光ドラム３０上の静電潜像をトナーで可視像化するようになっている。
【００３９】
図３に示すように、現像剤収容部は、上記現像ローラ５１の軸方向（長手方向）全域に渡って設けられていると共に、現像ローラ５１の軸方向に沿って延びる仕切壁にて区分されており、さらに、区分された現像剤収容部には一対の撹拌・搬送スクリューを回転自在に配置することによって、仕切壁の軸方向（長手方向）両端部の連通口を通し、現像剤収容部内の現像剤を撹拌しながら循環搬送するようになっている。
【００４０】
（第１実施形態）
以下、本実施の形態における一対の撹拌・搬送スクリューについて、図４及び図５を参照しながら説明する。
【００４１】
図４（ａ）に示すように、撹拌・搬送スクリュー５３、５４はスパイラル状に形成された螺旋状羽根１００と、現像剤収容部の両側壁に設けられた軸受部材に回転自在に支持される軸部２００とから構成されており、一体成形されている。尚、撹拌・搬送スクリュー５３、５４は螺旋状羽根１００と軸部２００を有している点で同一の構造であり、以下必要がない限り区別せず、撹拌・搬送スクリューと記述する。
【００４２】
図４（ｂ）は撹拌・搬送スクリューの肉付け３００、４００部分を除いた軸線方向断面図であり、螺旋状羽根１００は、底部の厚さＷ（下底）、先端部の厚さｗ（上底）、高さＨ、斜面角度θ１、θ２からなる台形形状の断面を有する。
【００４３】
図４（ｃ）及び図４（ｄ）は撹拌・搬送スクリューの肉付け３００部分を含む軸線方向断面図であり、軸部２００と螺旋状羽根側面底部に、肉付けに対応する形状が一部付加されるが、略台形形状の断面を有する。
【００４４】
図５は、本発明の撹拌・搬送スクリューの一部を示す斜視図である。螺旋状羽根１００は、その長さ方向を横断する断面形状が台形形状であり、この螺旋状羽根１００が軸部２００を１周する間において、螺旋状羽根１００の側面と軸部２００との間に、肉付け３００、４００が形成されている。肉付け３００、４００は射出成形金型の分割に伴い予測されるアンダーカットに対応させて、後述する金型設計方法により形成される。
【００４５】
撹拌・搬送スクリューの材料としては、ＡＢＳ（アクリロニトリルブタジエンスチレン）、変性ＰＰＥ（ポリフェニレンエーテル）、ＰＣ（ポリカーボネート）、ＰＥ（ポリエチレン）、ＰＥＴ（ポリエチレンテレフタレート）、ＰＯＭ（ポリアセタール）、ＰＳ（ポリスチレン）、ＰＢＴ（ポリブチレンテレフタレート）、ＰＰ（ポリプロピレン）、ＰＡ（ポリアミド）、ＰＭＭＡ（ポリメチルメタクリレート）、ＰＡＩ（ポリアミドイミド）、ＰＰＳ（ポリフェニレンサルファイト）、ＰＰＯ（ポリフェニレンオキサイド）、ＰＳＦ（ポリサルホン）、ＰＥＳ（ポリエーテルサルホン）、ＰＥＩ（ポリエーテルイミド）、ＰＥＥＫ（ポリエーテルエーテルケトン）等の熱可塑性樹脂を用いることができる。適用される画像形成装置の仕様及び要求される製造コスト等からは、ＰＣ／ＡＢＳ（ポリカーボネートとアクリロニトリルブタジエンスチレンのアロイ）にガラスファイバーを５％重量部ないし５０％重量部、好ましくは２０％重量部ないし４０％重量部、添加した樹脂材が好適であり、ガラスファイバーを２５％重量部ないし３５％重量部、添加した樹脂材が更に好適である。
【００４６】
このような撹拌・搬送スクリューの螺旋状羽根１００の側面と軸部２００との間に形成される肉付け３００、４００の形状を決定する方法を、金型分割面と平行な面をＸ軸及びＹ軸で形成されるＸ−Ｙ平面、金型の分割方向をＺ軸方向として、図６ないし図８を参照しながら、以下説明する。
【００４７】
まず、ステップ１（図７において、ステップはＳと略称している）において、演算手段は基準となる撹拌・搬送スクリューの３次元形状データ（螺旋状羽根の外形、軸径、スクリューピッチ、螺旋状羽根の断面形状）を読み込む（図８（ａ）参照）。尚、以下の各ステップにおいて、３次元形状サーフェース作成には、モデル作成手段を含む演算手段として一般的な３次元ＣＡＤシステムを用いることができる。
【００４８】
続くステップ２で、演算手段は金型分割方向を設定する。
【００４９】
続くステップ３では、ステップ１で作成した螺旋状羽根３次元サーフェースに等傾曲線Ｌａを作成する（図８（ｂ）参照）。尚、図６（ａ）に示すように、基準となる撹拌・搬送スクリューをＺ軸方向から見たときに、金型分割上アンダーカットとなるべき螺旋状羽根１００の側面部分の外縁を螺旋状羽根１００の側面に金型分割線の一部として仮想し、以下、この金型分割線を等傾曲線と定義する。図６（ｂ）は、この等傾曲線を螺旋状羽根１００の側面に仮想した状態の斜視図であり、本発明の金型設計方法による金型分割線はＸ−Ｙ平面のみならず、Ｚ軸方向にも形成されることになる。
【００５０】
続くステップ４では、図８（ｃ）に示すように、等傾曲線Ｌａを軸部３次元サーフェースに投影した仮想線を作成し、以下これを第１投影曲線Ｌｂと記述する。
【００５１】
続くステップ５では、図８（ｄ）に示すように、軸部２００の金型分割線（以下、軸径線Ｌｃと記述する。）と第１投影曲線Ｌｂとの交点から金型分割方向であるＺ軸方向に、等傾曲線Ｌａとの交点まで鉛直線Ｌｄを作成する。尚、前記鉛直線Ｌｄは、後述する金型の分割線に対応することから、成形工程における金型の可動側入子と固定側入子の勘合の信頼性確保の要請から、０．１度ないし５度の角度を付加することができる。
【００５２】
続くステップ６では、等傾曲線Ｌａと、第１投影曲線Ｌｂと、鉛直線Ｌｄとによって第１閉曲線Ｍ１を作成する。
【００５３】
続くステップ７では、軸径線Ｌｃを螺旋状羽根側面３次元サーフェースへ投影し第２投影曲線Ｌｅを作成する（図８（ｅ）参照）。
【００５４】
続くステップ８では、軸径線Ｌｃと鉛直線Ｌｄと第２投影曲線Ｌｅで第２閉曲線Ｍ２を作成する。
【００５５】
続くステップ９では、第１閉曲線Ｍ１と第２閉曲線Ｍ２と螺旋状羽根側面３次元サーフェースと軸部３次元サーフェースとによって、肉付け３００、４００に対応した空間の３次元ソリッドモデルを作成する。
【００５６】
（第１実施形態の金型）
次に、図９を参照しながら、本発明の金型設計方法を適用した２方分割の金型の実施例を説明する。尚、図９は、金型の要部を拡大して示す斜視図である。
【００５７】
金型５００は、可動側入れ子５１０と固定側入れ子５２０で構成され、可動側入れ子５１０は図示しない下側ベース体の上面に固定される。下側ベース体の上方には図示しない上側ベース体が設けられており、この上側ベース体の下面に固定側入れ子５２０が固定される（図９（ａ）、（ｂ）参照）。
【００５８】
本発明の攪拌・搬送スクリューの軸部２００の軸心方向の金型分割面に対応する分割線ＰＬ１０と、金型分割面から螺旋状羽根側面に仮想した等傾曲線に対応する分割線ＰＬ１２、ＰＬ１０とＰＬ１２を繋ぐ鉛直線に対応した分割線ＰＬ１１、螺旋状羽根１００の外径端部に対応した分割線ＰＬ１３、螺旋状羽根１００の外径端部を金型分割面と同一面で分割する分割線ＰＬ１４を単位として可動側入れ子５１０と固定側入れ子５２０の分割線を形成し、可動側入れ子５１０と固定側入れ子５２０には、撹拌・搬送スクリューの軸部２００、螺旋状羽根１００、肉付け３００、４００の３次元サーフェースに対応したキャビティが形成される。尚、ＰＬ１１には、成形工程における金型の可動側入れ子５１０と固定側入れ子５２０の勘合の信頼性確保の要請から、０．１度ないし５度の勾配を設けても良い（図９（ｃ）参照）。
【００５９】
（実施例）
以下、本実施形態における実施例を更に具体的に説明する。軸部２００の軸径１．５ｍｍ、螺旋状羽根１００の外形１０ｍｍ、螺旋状羽根のピッチ１６ｍｍ、螺旋状羽根断面下底の厚さ３ｍｍ、螺旋状羽根断面上底の厚さ０．８ｍｍの攪拌・搬送スクリューにおいて、螺旋状羽根１００が軸部２００を１．５周する部分の体積は、肉付けがない場合は２３０ｍｍ３であり、比較例として、単純な上下２分割の金型を使用してアンダーカットを防止するために肉付けした場合の体積は３５７ｍｍ３となり、肉付けがない場合からの体積増加は１２７ｍｍ３となる。本発明の金型設計法を適用して肉付けを形成した場合の体積は２３２ｍｍ３となり、肉付けにより螺旋状羽根１００の体積増加は２ｍｍ３にとどまる。即ち、本実施例において、本発明の金型設計法を適用してアンダーカット防止の肉付けを形成しても、撹拌・搬送スクリューの体積増加は１％以下であり、肉付けがない撹拌・搬送スクリューの当初形状を略実現している。尚、本実施例における体積計算は一般的な３次元ＣＡＤシステムのモデル体積計算手段によって求めることができる。
【００６０】
図１０は、螺旋状羽根１００が軸部２００を１周する部分の体積の、本発明による肉付けを適用した場合の体積増加量を、基準となる撹拌・搬送スクリューの３次元形状データ（螺旋状羽根の外形、軸径、スクリューピッチ、螺旋状羽根１００の断面形状）を変化させた場合の各々について計算した結果を示す。螺旋状羽根１００の外形は小さいほうが体積増加が少なく、軸径も小さいほうが体積増加は少ない。また、螺旋状羽根断面の台形形状を形成する斜面角度θ１、θ２は小さいほど体積増加は少なく、螺旋状羽根１００のピッチは小さいほど体積増加が少ないが、いずれの場合においても、撹拌・搬送スクリューの体積増加は少なく、現像剤撹拌・搬送パラメータを変化させても、本発明の金型設計法を適用してアンダーカット防止の肉付けを形成することにより、肉付けがない撹拌・搬送スクリューの当初形状を略実現できる。尚、本実施例における体積計算は一般的な３次元ＣＡＤシステムのモデル体積計算手段によって求めることができる。
【００６１】
（第１実施形態の作用・効果）
次に図１１を参照して、撹拌・搬送スクリューの撹拌・搬送作用を説明する。現像剤には螺旋状羽根１００の台形斜面１ａによって、面直角の現像剤搬送力Ｆが作用し、現像剤搬送力Ｆはさらに水平方向の分力Ｆｈと垂直方向の分力Ｆｖとに分解できる。水平方向の分力Ｆｈは現像剤を軸部２００の軸線方向に搬送し、垂直方向の分力Ｆｖは現像剤を軸直角方向に撹拌する。したがって、アンダーカット防止のための肉付けが大きい場合、或いは螺旋状羽根が軸部を一周する間に連続して変化する場合は、水平方向の分力Ｆｈと垂直方向の分力Ｆｖが、一定の搬送力、攪拌力として定まらず、現像装置５０における現像剤撹拌・搬送パラメータ設計に支障を来たす。以下、支障を来たす現像剤撹拌・搬送パラメータ設計について説明する。
【００６２】
螺旋状羽根の軸線方向に沿った断面形状において、アンダーカット防止のための肉付けが大きい部分は、台形斜面１ａがなだらか、即ち斜面角度θ１、θ２が小さく、水平方向の分力Ｆｈが小さくなり、現像剤を軸部２００の軸線方向に搬送する作用が低下する。従って、螺旋状羽根が軸部を一周する区間において、アンダーカット防止のための肉付けの占める割合が多い場合、肉付けが無い撹拌・搬送スクリューを想定して実施された、現像装置５０における現像剤撹拌・搬送パラメータ設計を、再度調整する必要が生じる。係る場合、螺旋状羽根のピッチを広くすることにより軸線方向の搬送性能を向上させることができるが、現像剤の撹拌回数が減少してしまい、現像装置撹拌性能が低下してしまうという問題が発生する。
【００６３】
本実施形態（図５参照）においては、軸部２００の軸径１．５ｍｍ、螺旋状羽根１００の外形１０ｍｍ、螺旋状羽根１００のピッチ１６ｍｍ、螺旋状羽根底部の厚さ３ｍｍ、先端部の厚さ０．８ｍｍの場合、斜面角度θ１、θ２は共に２９．０２度となり、螺旋状羽根１００の台形断面形状は、螺旋状羽根１００が軸部２００を一周する間に、肉付けを除いて均一に維持されることから、粉流体攪拌・搬送スクリューにおいて、面直角の現像剤搬送力Ｆ、さらに水平方向の分力Ｆｈと垂直方向の分力Ｆｖとは、略一定となり、肉付けが無い撹拌・搬送スクリューを想定して設定された、現像剤撹拌・搬送パラメータ設計が実現される。
【００６４】
本発明に係る金型設計方法により撹拌・搬送スクリューの肉付け３００、４００の形状を作成することで、２方分割の金型でありながら、アンダーカットを発生させないための螺旋状羽根側面と軸部の間の肉付けを最小として、低コストの撹拌・搬送スクリューを得ることができる。また、現像剤撹拌・搬送スクリューの撹拌・搬送作用において、所望の性能を確保することができる。
【００６５】
（第２実施形態）
図１２は本発明による撹拌・搬送スクリューの他の実施の形態を示す図である。図１２に示す撹拌・搬送スクリューは、中心軸部のない螺旋状羽根１００と、この螺旋状羽根１００の両端外側に一体に成形された軸部とから構成され、現像剤の撹拌・搬送部分に中心軸を有しないことから、撹拌性能、搬送性能に優れている。図１４（ａ）の点線は、Ｚ軸方向からみて、螺旋状羽根底面の曲率に等しい曲率を有する円筒を、Ｘ−Ｙ平面上に仮想した軸の外縁となる軸径線Ｒａを示している。また、図１４（ｂ）は、図１４（ａ）の一点鎖線部Ａの部分拡大図である。
【００６６】
このような撹拌・搬送スクリューの螺旋状羽根１００の底面に形成する肉付けの形状を決定する方法を、金型分割面と平行な面をＸ軸及びＹ軸で形成されるＸ−Ｙ平面、金型の分割方向をＺ軸方向として、図１３及び図１４を参照しながら、以下説明する。尚、肉付けの形状を決定する方法において、演算手段により基準となる撹拌・搬送スクリューの３次元形状データ（螺旋状羽根の外形、螺旋状羽根底面の曲率半径（仮想される円筒の半径）、スクリューピッチ、螺旋状羽根の断面形状）を読み込むステップ、金型分割方向を設定するステップは、第１実施形態の軸部と螺旋状羽根とが一体に成形された撹拌・搬送スクリューと共通するため、その説明は省略するとともに、第１実施形態と異なるステップ３以降を順次説明する。また、図１３においてはステップはＳと略称している。
【００６７】
ステップ３では、螺旋状羽根３次元サーフェースの軸心方向に螺旋状羽根底面の曲率に等しい曲率を有する円筒を軸として仮想し、Ｘ−Ｙ平面状にＺ軸方向からみて、その外縁となる軸径線Ｒａを作成する（図１４（ａ）点線部を参照）。
【００６８】
続くステップ４では、ステップ１で作成した螺旋状羽根３次元サーフェースに、螺旋状羽根側面と螺旋状羽根底面の境界である境界線Ｒｂと、軸線方向と直交する方向（Ｚ軸方向）から螺旋状羽根側面に仮想した金型分割上アンダーカットとなる他方の螺旋状羽根側面と螺旋状羽根底面の境界である境界線Ｒｂを作成する（図１４（ｂ）参照）。
【００６９】
続くステップ５では、軸径線Ｒａと境界線Ｒｂとで仮想される閉曲線Ｎ１を作成する（図１４（ｂ）参照）。
【００７０】
続くステップ６では、ステップ５でＸ−Ｙ平面上に作成した閉曲線Ｎ１を、Ｚ軸方に平行掃引して、螺旋状羽根側面及び螺旋状羽根底面に仮想される空間の３次元ソリッドモデルを作成する（図１４（ｃ）参照）。尚、平行掃引とは、平面状で定義された図形を空間内で移動し、その軌跡によって３次元形状を作成する操作をいう。
【００７１】
続くステップ７では、ステップ６で作成した３次元ソリッドモデルのうち、金型分割上アンダーカットとはならない、螺旋状羽根側面に形成された空間を削除し、金型分割上アンダーカットとなる螺旋状羽根底面にのみ、肉付けとなる３次元空間を残す（図１４（ｄ）参照）。
【００７２】
（第２実施形態の金型）
次に、図１５を参照しながら、本発明の金型設計方法を適用した２方分割の金型の実施例を説明する。尚、図１５（ａ）は、可動側金型の要部を拡大して示す斜視図である。また、図１５（ｂ）は、図１５（ａ）の一点鎖線部Ａの部分拡大図である。
【００７３】
一般に金型は、可動側型と固定側型で構成され、さらに可動側型は図示しない下側ベース体と可動側入れ子とから構成され、可動側入れ子５１０は可動側ベース体の上面に固定される。下側ベース体の上方には図示しない上側ベース体が設けられており、この上側ベース体の下面に固定側入れ子（図示せず）が固定される（図１５（ａ）参照）。
【００７４】
本発明に係る、中心軸を有しない攪拌・搬送スクリューにおいても、金型分割線は螺旋状羽根側面に仮想した等傾曲線に対応する分割線、螺旋状羽根側面と螺旋状羽根底面の境界線に対応する分割線、螺旋状羽根底面に形成される肉付け部のＺ軸方向に対応した分割線、螺旋状羽根１００の外径端部に対応した分割線、螺旋状羽根１００の外径端部を金型分割面と同一面で分割する分割線を単位として可動側入子５１０と固定側入子の分割線を形成し、可動側入子５１０と固定側入子には、中心軸を有しない撹拌・搬送スクリューの螺旋状羽根１００、螺旋状羽根底面の肉付けの３次元サーフェースに対応したキャビティが形成される。
【００７５】
（実施例）
以下、本実施形態における実施例を更に具体的に説明する。螺旋状羽根底面を貫通する仮想の円筒軸径１．５ｍｍ、螺旋状羽根１００の外形１０ｍｍ、螺旋状羽根のピッチ１６ｍｍ、螺旋状羽根底部の厚さ３ｍｍ、螺旋状羽根先端部の厚さ０．８ｍｍの攪拌・搬送スクリューにおいて、螺旋状羽根１００が螺旋状羽根底面の仮想の円筒を１．５周する部分の体積は肉付けがない場合は１８７．７６ｍｍ３であり、本発明の金型設計方法を適用した肉付けを形成した場合の体積は１８７．８７ｍｍ３となり、肉付けにより螺旋状羽根１００の体積増加は０．１１ｍｍ３にとどまる。尚、本実施例における体積計算は一般的な３次元ＣＡＤシステムのモデル体積計算手段によって求めることができる。
【００７６】
（第２実施形態の作用・効果）
中心軸を有しない撹拌・搬送スクリューの成形は、従来から上下に分割した金型でアンダーカットとなる螺旋状羽根の一部分に対して、金型分割方向と直交する方向のスライドコアを用いて、更に中心軸に相当する部分には中子を使って実施されていた。このような成形方法では、成形品である撹拌・搬送スクリューを、金型から取り出した後、中心軸に相当する部分の中子を抜くという作業が発生し、生産性の低下、ひいては製造コストの上昇をもたらしていたが、本発明に係る金型設計方法により、撹拌・搬送スクリューの肉付けの形状を作成することで、２方分割の金型でありながら、アンダーカットを発生させないための螺旋状羽根底面の肉付けを最小として、低コストの撹拌・搬送スクリューを得ることができる。
【００７７】
以上、本発明の実施形態を詳述したが、本発明は、前記実施形態に限定されるものではなく、特許請求の範囲に記載された本発明の要旨の範囲内で、種々の変更を行うことが可能である。
【符号の説明】
【００７８】
１                                                クリーニングローラ
２０                                              画像形成装置
２１Ｙ、２１Ｍ、２１Ｃ、２１Ｋ                    画像形成部
２２Ｙ、２２Ｍ、２２Ｃ、２２Ｋ                    一次転写ローラ
２３                                              二次転写ローラ
２５                                              給紙部
２６                                              記録媒体収納カセット
２７                                              送り出しローラ
２８ａ、２８ｂ                                    レジストローラ
３０                                              感光ドラム
４０                                              帯電ローラ
５０                                              現像装置
５１                                              現像ローラ
５２                                              トリミングバー
５３、５４                                        攪拌・搬送スクリュー
６０                                              クリーニングブレード
７０                                              露光装置
８０                                              中間転写ベルト
９０                                              定着装置
１００                                            螺旋状羽根
２００                                            軸部
３００、４００                                    肉付け
５００                                            金型
５１０                                            可動側入子
５２０                                            固定側入子
Ｌａ                                              等傾曲線
Ｌｂ                                              第１投影曲線
Ｌｃ、Ｒａ                                        軸径線
Ｌｄ                                              鉛直線
Ｌｅ                                              第２投影曲線
Ｍ１、Ｍ２、Ｎ１                                  閉曲線
ＰＬ１０、ＰＬ１１、ＰＬ１２、ＰＬ１３、ＰＬ１４  分割線
Ｆ                                                現像剤搬送力
Ｆｈ                                              水平方向の分力
Ｆｖ                                              垂直方向の分力
Ｐ                                                記録媒体
Ｓ                                                記録媒体案内ガイド
【図１】
2012234048.tif 000003
【図１１】
2012234048.tif 000004
【図２】
2012234048.tif 000005
【図３】
2012234048.tif 000006
【図４】
2012234048.tif 000007
【図５】
2012234048.tif 000008
【図６】
2012234048.tif 000009
【図７】
2012234048.tif 000010
【図８】
2012234048.tif 000011
【図９】
2012234048.tif 000012
【図１０】
2012234048.tif 000013
【図１２】
2012234048.tif 000014
【図１３】
2012234048.tif 000015
【図１４】
2012234048.tif 000016
【図１５】
2012234048.tif 000017
【手続補正書】
【提出日】平成23年6月4日(2011.6.4)
【手続補正１】
【補正対象書類名】特許請求の範囲
【補正対象項目名】全文
【補正方法】変更
【補正の内容】
【特許請求の範囲】
【請求項１】
軸部と、前記軸部の軸線方向の断面形状が台形形状である螺旋状羽根が一体に成形された現像剤撹拌・搬送スクリューであって、
前記螺旋状羽根が前記軸部を一周する区間において、螺旋状羽根側面と前記軸部との間に、前記軸部と、前記螺旋状羽根側面と、軸線方向と直交する方向から前記螺旋状羽根側面に仮想した金型分割上アンダーカットとなる前記螺旋状羽根側面の外縁である等傾曲線と、
前記等傾曲線を前記軸部に投影して仮想した第１投影曲線と、
前記軸部の軸線方向に仮想した金型分割線である軸径線と前記第１投影曲線との交点から前記軸部の軸心方向と直交する方向に仮想した鉛直線と、
前記軸径線を前記螺旋状羽根側面に軸線方向と直交する方向に投影して仮想した第２投影曲線と、
前記軸径線と、
によって形成された空間を、前記軸部及び前記螺旋状羽根と一体に成形した複数の肉付けが形成されている
ことを特徴とする現像剤撹拌・搬送スクリュー。
【請求項２】
軸部と、前記軸部の軸線方向の断面形状が台形形状である螺旋状羽根が一体に成形された現像剤撹拌・搬送スクリューの３次元形状データを読み込み３次元形状サーフェースを作成する３次元サーフェース作成ステップと、
前記螺旋状羽根の３次元サーフェースに軸線方向と直交する方向から螺旋状羽根側面に仮想した金型分割上アンダーカットとなる前記螺旋状羽根側面の外縁である等傾曲線を作成する等傾曲線作成ステップと、
前記等傾曲線を前記軸部の３次元サーフェースに投影する第１投影曲線作成ステップと、前記軸部の３次元サーフェースの軸線方向に形成される金型分割線と前記第１投影曲線との交点から前記金型分割線と直交する方向に鉛直線を作成する鉛直線作成ステップと、
前記等傾曲線と前記第１投影曲線と前記鉛直線とによって閉曲線を作成する第１閉曲線作成ステップと、
前記金型分割線を前記螺旋状羽根の３次元サーフェースに前記金型分割線と直交する方向に投影する第２投影曲線作成ステップと、
前記金型分割線と前記鉛直線と前記第２投影曲線とによって閉曲線を作成する第２閉曲線作成ステップと、
前記第１閉曲線と前記第２閉曲線と前記螺旋状羽根の３次元サーフェースと前記軸部の３次元サーフェースとによって３次元空間を作成するステップと、
を順次実行する
ことを特徴とする金型設計方法。
【請求項３】
中心軸部のない断面形状が台形形状である螺旋状羽根と、前記螺旋状羽根の両端外側に一体に成形された軸部とを有する現像剤撹拌・搬送スクリューであって、
螺旋状羽根底面に、複数の肉付けが形成されている
ことを特徴とする現像剤撹拌・搬送スクリュー。
【請求項４】
前記肉付けは、前記螺旋状羽根底面の曲率に等しい曲率を有する円筒を軸線方向に仮想した軸径線と、
螺旋状羽根側面と前記螺旋状羽根底面の境界線と、
軸線方向と直交する方向から前記螺旋状羽根側面に仮想した金型分割上アンダーカットとなる他方の前記螺旋状羽根側面と前記螺旋状羽根底面の境界線と、
によって形成される閉曲線を、軸線方向と直交する方向に平行掃引し、前記螺旋状羽根底面に形成された空間を前記螺旋状羽根と一体に成形した
ことを特徴とする請求項３記載の現像剤撹拌・搬送スクリュー。
【請求項５】
中心軸部のない断面形状が台形形状である螺旋状羽根と、前記螺旋状羽根の両端外側に一体に成形された軸部とを有する現像剤撹拌・搬送スクリューの３次元形状データを読み込み３次元形状サーフェースを作成する３次元形状サーフェース作成ステップと、
螺旋状羽根底面の曲率に等しい曲率を有する円筒を軸線方向に仮想した軸径線を作成する軸径線作成ステップと、
螺旋状羽根側面と前記螺旋状羽根底面の境界線を作成する境界線作成ステップと、
前記軸径線と前記境界線とによって閉曲線を作成する閉曲線作成ステップと、
前記閉曲線を金型分割方向に平行掃引する平行掃引ステップと、
前記閉曲線を軸線方向と直交する方向に平行掃引して形成された空間の、前記螺旋状羽根側面に形成された空間を削除し、金型分割上アンダーカットとなる螺旋状羽根底面にのみ３次元空間を残す削除ステップと、
を順次実行する
ことを特徴とする金型設計方法。
【手続補正２】
【補正対象書類名】明細書
【補正対象項目名】００１４
【補正方法】変更
【補正の内容】
【００１４】
前記課題を解決するために、請求項１記載の現像剤撹拌・搬送用スクリューは、
軸部と、前記軸部の軸線方向の断面形状が台形形状である螺旋状羽根が一体に成形された現像剤撹拌・搬送スクリューであって、
前記螺旋状羽根が前記軸部を一周する区間において、螺旋状羽根側面と前記軸部との間に、前記軸部と、前記螺旋状羽根側面と、軸線方向と直交する方向から前記螺旋状羽根側面に仮想した金型分割上アンダーカットとなる前記螺旋状羽根側面の外縁である等傾曲線と、
前記等傾曲線を前記軸部に投影して仮想した第１投影曲線と、
前記軸部の軸線方向に仮想した金型分割線である軸径線と前記第１投影曲線との交点から前記軸部の軸心方向と直交する方向に仮想した鉛直線と、
前記軸径線を前記螺旋状羽根側面に軸線方向と直交する方向に投影して仮想した第２投影曲線と、
前記軸径線と、
によって形成された空間を、前記軸部及び前記螺旋状羽根と一体に成形した複数の肉付けが形成されている
ことを特徴とする。
【手続補正３】
【補正対象書類名】明細書
【補正対象項目名】００１５
【補正方法】変更
【補正の内容】
【００１５】
前記課題を解決するために、請求項２記載の金型設計方法は、
軸部と、前記軸部の軸線方向の断面形状が台形形状である螺旋状羽根が一体に成形された現像剤撹拌・搬送スクリューの３次元形状データを読み込み３次元形状サーフェースを作成する３次元サーフェース作成ステップと、
前記螺旋状羽根の３次元サーフェースに軸線方向と直交する方向から螺旋状羽根側面に仮想した金型分割上アンダーカットとなる前記螺旋状羽根側面の外縁である等傾曲線を作成する等傾曲線作成ステップと、
前記等傾曲線を前記軸部の３次元サーフェースに投影する第１投影曲線作成ステップと、前記軸部の３次元サーフェースの軸線方向に形成される金型分割線と前記第１投影曲線との交点から金型分割線と直交する方向に鉛直線を作成する鉛直線作成ステップと、
前記等傾曲線と前記第１投影曲線と前記鉛直線とによって閉曲線を作成する第１閉曲線作成ステップと、
前記金型分割線を前記螺旋状羽根の３次元サーフェースに前記金型分割線と直交する方向に投影する第２投影曲線作成ステップと、
前記金型分割線と前記鉛直線と前記第２投影曲線とによって閉曲線を作成する第２閉曲線作成ステップと、
前記第１閉曲線と前記第２閉曲線と前記螺旋状羽根の３次元サーフェースと前記軸部の３次元サーフェースとによって３次元空間を作成するステップと、
を順次実行する
ことを特徴とする。
【手続補正４】
【補正対象書類名】明細書
【補正対象項目名】００１６
【補正方法】変更
【補正の内容】
【００１６】
前記課題を解決するために、請求項３記載の現像剤撹拌・搬送用スクリューは、
中心軸部のない断面形状が台形形状である螺旋状羽根と、前記螺旋状羽根の両端外側に一体に成形された軸部とを有する現像剤撹拌・搬送スクリューであって、
螺旋状羽根底面に、複数の肉付けが形成されている
ことを特徴とする。
【手続補正５】
【補正対象書類名】明細書
【補正対象項目名】００１７
【補正方法】変更
【補正の内容】
【００１７】
請求項４記載の現像剤撹拌・搬送用スクリューは、請求項３に記載の現像剤撹拌・搬送スクリューにおいて、
前記肉付けは、前記螺旋状羽根底面の曲率に等しい曲率を有する円筒を軸線方向に仮想した軸径線と、
螺旋状羽根側面と前記螺旋状羽根底面の境界線と、
軸線方向と直交する方向から前記螺旋状羽根側面に仮想した金型分割上アンダーカットとなる他方の前記螺旋状羽根側面と前記螺旋状羽根底面の境界線と、
によって形成される閉曲線を、軸線方向と直交する方向に平行掃引し、前記螺旋状羽根底面に形成された空間を前記螺旋状羽根と一体に成形した
ことを特徴とする。
【手続補正６】
【補正対象書類名】明細書
【補正対象項目名】００１８
【補正方法】変更
【補正の内容】
【００１８】
前記課題を解決するために、請求項５記載の金型設計方法は、
中心軸部のない断面形状が台形形状である螺旋状羽根と、前記螺旋状羽根の両端外側に一体に成形された軸部とを有する現像剤撹拌・搬送スクリューの３次元形状データを読み込み３次元形状サーフェースを作成する３次元形状サーフェース作成ステップと、
螺旋状羽根底面の曲率に等しい曲率を有する円筒を軸線方向に仮想した軸径線を作成する軸径線作成ステップと、
螺旋状羽根側面と前記螺旋状羽根底面の境界線を作成する境界線作成ステップと、
前記軸径線と前記境界線とによって閉曲線を作成する閉曲線作成ステップと、
前記閉曲線を金型分割方向に平行掃引する平行掃引ステップと、
前記閉曲線を軸線方向と直交する方向に平行掃引して形成された空間の、前記螺旋状羽根側面に形成された空間を削除し、金型分割上アンダーカットとなる螺旋状羽根底面にのみ３次元空間を残す削除ステップと、
を順次実行する
ことを特徴とする。
【手続補正書】
【提出日】平成23年9月21日(2011.9.21)
【手続補正１】
【補正対象書類名】特許請求の範囲
【補正対象項目名】全文
【補正方法】変更
【補正の内容】
【特許請求の範囲】
【請求項１】
軸部（２００）と、前記軸部（２００）の軸線方向の断面形状が台形形状である螺旋状羽根（１００）が、前記軸線方向に金型分割線を形成し２方向に分割した金型によって一体に成形された現像剤撹拌・搬送スクリューであって、
前記螺旋状羽根（１００）が前記軸部（２００）を一周する区間において、
螺旋状羽根側面と前記軸部（２００）との間に、
前記螺旋状羽根側面を、軸線に沿って形成した金型分割線（ＰＬ１０）と直交する方向から見たときに外縁となる等傾曲線（Ｌａ）と、
前記等傾曲線（Ｌａ）を、前記軸部（２００）の表面に前記金型分割線（ＰＬ１０）と直交する方向から投影した第１投影曲線（Ｌｂ）と、
前記軸部（２００）の前記金型分割線（ＰＬ１０）と前記第１投影曲線（Ｌｂ）との交点から前記金型分割線（ＰＬ１０）と直交する方向に仮想した鉛直線（Ｌｄ）と、
前記交点から前記軸線方向に、前記螺旋状羽根側面まで仮想した軸線（Ｌｃ）と、
前記軸線（Ｌｃ）を前記螺旋状羽根側面に前記金型分割線（ＰＬ１０）と直交する方向に投影した第２投影曲線（Ｌｅ）と、
によって形成された空間を、前記軸部（２００）及び前記螺旋状羽根（１００）と一体に成形した複数の肉付けが形成されている、
ことを特徴とする現像剤撹拌・搬送スクリュー。
【請求項２】
軸部（２００）と、前記軸部（２００）の軸線方向の断面形状が台形形状である螺旋状羽根（１００）が、前記軸線方向に金型分割線を形成し２方向に分割した金型によって一体に成形される現像剤撹拌・搬送スクリューの３次元形状データを読み込み３次元形状サーフェースを作成する３次元サーフェース作成ステップと、
前記螺旋状羽根（１００）の３次元サーフェースに螺旋状羽根側面を、軸線に沿って形成した金型分割線（ＰＬ１０）と直交する方向から見たときに外縁となる等傾曲線（Ｌａ）を作成する等傾曲線作成ステップと、
前記等傾曲線（Ｌａ）を、前記軸部（２００）の３次元サーフェースに前記金型分割線（ＰＬ１０）と直交する方向から投影する第１投影曲線（Ｌｂ）作成ステップと、
前記金型分割線（ＰＬ１０）と前記第１投影曲線（Ｌｂ）との交点から前記金型分割線（ＰＬ１０）と直交する方向に鉛直線（Ｌｄ）を作成する鉛直線作成ステップと、
前記等傾曲線（Ｌａ）と前記第１投影曲線（Ｌｂ）と前記鉛直線（Ｌｄ）とによって閉曲線を作成する第１閉曲線作成ステップと、
前記交点から前記軸線方向に、前記螺旋状羽根側面まで仮想した軸線（Ｌｃ）を、前記螺旋状羽根（１００）の３次元サーフェースに前記金型分割線（ＰＬ１０）と直交する方向に投影する第２投影曲線作成ステップと、
前記軸線（Ｌｃ）と前記鉛直線（Ｌｄ）と前記第２投影曲線（Ｌｅ）とによって閉曲線を作成する第２閉曲線作成ステップと、
を順次実行し、
前記第１閉曲線（Ｍ１）と前記第２閉曲線（Ｍ２）とによって、前記螺旋状羽根側面の３次元サーフェースと前記軸部（２００）の３次元サーフェースとの間に形成した３次元空間を金型キャビティとする、
ことを特徴とする金型設計方法。
【請求項３】
軸線方向に沿って２方向に分割した金型によって、中心軸部のない断面形状が台形形状である螺旋状羽根（１００）と、前記螺旋状羽根（１００）の両端外側に一体に成形された軸部とを有する現像剤撹拌・搬送スクリューであって、
螺旋状羽根底面に、
前記螺旋状羽根底面の曲率に等しい曲率を有する円筒を前記軸線方向に仮想した軸径線（Ｒａ）と、
前記台形形状を形成する第１の螺旋状羽根側面と前記螺旋状羽根底面との境界である第１の境界線（Ｒｂ）と、
前記台形形状を形成する第２の螺旋状羽根側面と前記螺旋状羽根底面との境界である第２の境界線（Ｒｂ）と、
を金型分割面に投影して形成される閉曲線（Ｎ１）を金型分割方向に平行移動した軌跡により形成された空間を、前記螺旋状羽根（１００）と一体に成形した複数の肉付けが形成されている、
ことを特徴とする現像剤撹拌・搬送スクリュー。
【請求項４】
軸線方向に沿って２方向に分割した金型によって、中心軸部のない断面形状が台形形状である螺旋状羽根（１００）と、前記螺旋状羽根（１００）の両端外側に一体に成形された軸部とを有する現像剤撹拌・搬送スクリューの３次元形状データを読み込み３次元形状サーフェースを作成する３次元形状サーフェース作成ステップと、
螺旋状羽根底面の曲率に等しい曲率を有する円筒を前記軸線方向に仮想した軸径線（Ｒａ）を作成する軸径線作成ステップと、
前記台形形状を形成する第１の螺旋状羽根側面と前記螺旋状羽根底面との境界である第１の境界線（Ｒｂ）と、
前記台形形状を形成する第２の螺旋状羽根側面と前記螺旋状羽根底面との境界である第２の境界線（Ｒｂ）とを作成する境界線作成ステップと、
前記軸径線（Ｒａ）と前記境界線（Ｒｂ）とを金型分割面に投影して閉曲線（Ｎ１）を作成する閉曲線作成ステップと、
前記閉曲線（Ｎ１）を前記軸線に沿って形成した金型分割線と直交する方向に平行移動して前記閉曲線（Ｎ１）の３次元軌跡を作成する平行掃引ステップと、
前記平行掃引ステップにより形成された３次元空間の、前記螺旋状羽根側面に形成された３次元空間を削除し、螺旋状羽根底面にのみ３次元空間を残す削除ステップと、
を順次実行し、
前記螺旋状羽根底面に形成した３次元空間を金型キャビティとする、
ことを特徴とする金型設計方法。
【手続補正２】
【補正対象書類名】明細書
【補正対象項目名】００１４
【補正方法】変更
【補正の内容】
【００１４】
前記課題を解決するために、請求項１記載の現像剤撹拌・搬送スクリューは、
軸部（２００）と、前記軸部（２００）の軸線方向の断面形状が台形形状である螺旋状羽根（１００）が、前記軸線方向に金型分割線を形成し２方向に分割した金型によって一体に成形された現像剤撹拌・搬送スクリューであって、
前記螺旋状羽根（１００）が前記軸部（２００）を一周する区間において、
螺旋状羽根側面と前記軸部（２００）との間に、
前記螺旋状羽根側面を、軸線に沿って形成した金型分割線（ＰＬ１０）と直交する方向から見たときに外縁となる等傾曲線（Ｌａ）と、
前記等傾曲線（Ｌａ）を、前記軸部（２００）の表面に前記金型分割線（ＰＬ１０）と直交する方向から投影した第１投影曲線（Ｌｂ）と、
前記軸部（２００）の前記金型分割線（ＰＬ１０）と前記第１投影曲線（Ｌｂ）との交点から前記金型分割線（ＰＬ１０）と直交する方向に仮想した鉛直線（Ｌｄ）と、
前記交点から前記軸線方向に、前記螺旋状羽根側面まで仮想した軸線（Ｌｃ）と、
前記軸線（Ｌｃ）を前記螺旋状羽根側面に前記金型分割線（ＰＬ１０）と直交する方向に投影した第２投影曲線（Ｌｅ）と、
によって形成された空間を、前記軸部（２００）及び前記螺旋状羽根（１００）と一体に成形した複数の肉付けが形成されている、
ことを特徴とする。
【手続補正３】
【補正対象書類名】明細書
【補正対象項目名】００１５
【補正方法】変更
【補正の内容】
【００１５】
前記課題を解決するために、請求項２記載の金型設計法は、
軸部（２００）と、前記軸部（２００）の軸線方向の断面形状が台形形状である螺旋状羽根（１００）が、前記軸線方向に金型分割線を形成し２方向に分割した金型によって一体に成形される現像剤撹拌・搬送スクリューの３次元形状データを読み込み３次元形状サーフェースを作成する３次元サーフェース作成ステップと、
前記螺旋状羽根（１００）の３次元サーフェースに螺旋状羽根側面を、軸線に沿って形成した金型分割線（ＰＬ１０）と直交する方向から見たときに外縁となる等傾曲線（Ｌａ）を作成する等傾曲線作成ステップと、
前記等傾曲線（Ｌａ）を、前記軸部（２００）の３次元サーフェースに前記金型分割線（ＰＬ１０）と直交する方向から投影する第１投影曲線（Ｌｂ）作成ステップと、
前記金型分割線（ＰＬ１０）と前記第１投影曲線（Ｌｂ）との交点から前記金型分割線（ＰＬ１０）と直交する方向に鉛直線（Ｌｄ）を作成する鉛直線作成ステップと、
前記等傾曲線（Ｌａ）と前記第１投影曲線（Ｌｂ）と前記鉛直線（Ｌｄ）とによって閉曲線を作成する第１閉曲線作成ステップと、
前記交点から前記軸線方向に、前記螺旋状羽根側面まで仮想した軸線（Ｌｃ）を、前記螺旋状羽根（１００）の３次元サーフェースに前記金型分割線（ＰＬ１０）と直交する方向に投影する第２投影曲線作成ステップと、
前記軸線（Ｌｃ）と前記鉛直線（Ｌｄ）と前記第２投影曲線（Ｌｅ）とによって閉曲線を作成する第２閉曲線作成ステップと、
を順次実行し、
前記第１閉曲線（Ｍ１）と前記第２閉曲線（Ｍ２）とによって、前記螺旋状羽根側面の３次元サーフェースと前記軸部（２００）の３次元サーフェースとの間に形成した３次元空間を金型キャビティとする、
ことを特徴とする。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】変更
【補正の内容】
【００１７】
前記課題を解決するために、請求項３記載の現像剤撹拌・搬送スクリューは、
軸線方向に沿って２方向に分割した金型によって、中心軸部のない断面形状が台形形状である螺旋状羽根（１００）と、前記螺旋状羽根（１００）の両端外側に一体に成形された軸部とを有する現像剤撹拌・搬送スクリューであって、
螺旋状羽根底面に、
前記螺旋状羽根底面の曲率に等しい曲率を有する円筒を前記軸線方向に仮想した軸径線（Ｒａ）と、
前記台形形状を形成する第１の螺旋状羽根側面と前記螺旋状羽根底面との境界である第１の境界線（Ｒｂ）と、
前記台形形状を形成する第２の螺旋状羽根側面と前記螺旋状羽根底面との境界である第２の境界線（Ｒｂ）と、
を金型分割面に投影して形成される閉曲線（Ｎ１）を金型分割方向に平行移動した軌跡により形成された空間を、前記螺旋状羽根（１００）と一体に成形した複数の肉付けが形成されている、
ことを特徴とする。
【手続補正６】
【補正対象書類名】明細書
【補正対象項目名】００１８
【補正方法】変更
【補正の内容】
【００１８】
前記課題を解決するために、請求項４記載の金型設計法は、
軸線方向に沿って２方向に分割した金型によって、中心軸部のない断面形状が台形形状である螺旋状羽根（１００）と、前記螺旋状羽根（１００）の両端外側に一体に成形された軸部とを有する現像剤撹拌・搬送スクリューの３次元形状データを読み込み３次元形状サーフェースを作成する３次元形状サーフェース作成ステップと、
螺旋状羽根底面の曲率に等しい曲率を有する円筒を前記軸線方向に仮想した軸径線（Ｒａ）を作成する軸径線作成ステップと、
前記台形形状を形成する第１の螺旋状羽根側面と前記螺旋状羽根底面との境界である第１の境界線（Ｒｂ）と、
前記台形形状を形成する第２の螺旋状羽根側面と前記螺旋状羽根底面との境界である第２の境界線（Ｒｂ）とを作成する境界線作成ステップと、
前記軸径線（Ｒａ）と前記境界線（Ｒｂ）とを金型分割面に投影して閉曲線（Ｎ１）を作成する閉曲線作成ステップと、
前記閉曲線（Ｎ１）を前記軸線に沿って形成した金型分割線と直交する方向に平行移動して前記閉曲線（Ｎ１）の３次元軌跡を作成する平行掃引ステップと、
前記平行掃引ステップにより形成された３次元空間の、前記螺旋状羽根側面に形成された３次元空間を削除し、螺旋状羽根底面にのみ３次元空間を残す削除ステップと、
を順次実行し、
前記螺旋状羽根底面に形成した３次元空間を金型キャビティとする、
ことを特徴とする。
【手続補正書】
【提出日】平成23年11月5日(2011.11.5)
【手続補正１】
【補正対象書類名】特許請求の範囲
【補正対象項目名】全文
【補正方法】変更
【補正の内容】
【特許請求の範囲】
【請求項１】
軸部（２００）と、前記軸部（２００）の軸線方向の断面形状が台形形状である螺旋状羽根（１００）が、前記軸線方向に金型分割線を形成し２方向に分割した金型によって一体に成形された現像剤撹拌・搬送スクリューであって、
前記螺旋状羽根（１００）が前記軸部（２００）を一周する区間において、
螺旋状羽根側面と前記軸部（２００）との間に、
前記螺旋状羽根側面を、軸線に沿って形成した金型分割線（ＰＬ１０）と直交する方向から見たときに外縁となる等傾曲線（Ｌａ）と、
前記等傾曲線（Ｌａ）を、前記軸部（２００）の表面に前記金型分割線（ＰＬ１０）と直交する方向から投影した第１投影曲線（Ｌｂ）と、
前記軸部（２００）の前記金型分割線（ＰＬ１０）と前記第１投影曲線（Ｌｂ）との交点から前記金型分割線（ＰＬ１０）と直交する方向に仮想した鉛直線（Ｌｄ）と、
前記交点から前記軸線方向に、前記螺旋状羽根側面まで仮想した軸線（Ｌｃ）と、
前記軸線（Ｌｃ）を前記螺旋状羽根側面に前記金型分割線（ＰＬ１０）と直交する方向に投影した第２投影曲線（Ｌｅ）と、
によって形成された空間を、前記軸部（２００）及び前記螺旋状羽根（１００）と一体に成形した複数の肉付けが形成されている、
ことを特徴とする現像剤撹拌・搬送スクリュー。
【請求項２】
軸部（２００）と、前記軸部（２００）の軸線方向の断面形状が台形形状である螺旋状羽根（１００）が、前記軸線方向に金型分割線を形成し２方向に分割した金型によって一体に成形される現像剤撹拌・搬送スクリューの３次元形状データを読み込み３次元形状サーフェースを作成する３次元サーフェース作成ステップと、
前記螺旋状羽根（１００）の３次元サーフェースに螺旋状羽根側面を、軸線に沿って形成した金型分割線（ＰＬ１０）と直交する方向から見たときに外縁となる等傾曲線（Ｌａ）を作成する等傾曲線作成ステップと、
前記等傾曲線（Ｌａ）を、前記軸部（２００）の３次元サーフェースに前記金型分割線（ＰＬ１０）と直交する方向から投影する第１投影曲線（Ｌｂ）作成ステップと、
前記金型分割線（ＰＬ１０）と前記第１投影曲線（Ｌｂ）との交点から前記金型分割線（ＰＬ１０）と直交する方向に鉛直線（Ｌｄ）を作成する鉛直線作成ステップと、
前記等傾曲線（Ｌａ）と前記第１投影曲線（Ｌｂ）と前記鉛直線（Ｌｄ）とによって閉曲線を作成する第１閉曲線作成ステップと、
前記交点から前記軸線方向に、前記螺旋状羽根側面まで仮想した軸線（Ｌｃ）を、前記螺旋状羽根（１００）の３次元サーフェースに前記金型分割線（ＰＬ１０）と直交する方向に投影する第２投影曲線作成ステップと、
前記軸線（Ｌｃ）と前記鉛直線（Ｌｄ）と前記第２投影曲線（Ｌｅ）とによって閉曲線を作成する第２閉曲線作成ステップと、
を順次実行し、
前記第１閉曲線（Ｍ１）と前記第２閉曲線（Ｍ２）とによって、前記螺旋状羽根側面の３次元サーフェースと前記軸部（２００）の３次元サーフェースとの間に形成した３次元空間を金型キャビティとする、
ことを特徴とする金型設計方法。
【手続補正２】
【補正対象書類名】明細書
【補正対象項目名】００１７
【補正方法】削除
【補正の内容】
【手続補正３】
【補正対象書類名】明細書
【補正対象項目名】００１８
【補正方法】削除
【補正の内容】